(57)【要約】  光学ユニットは、少なくとも物体側固定レンズ群及び像側固定レンズ群のいずれか１つを保持する筒形状をなし、該筒形状の中心軸に対して対称な位置に複数の肉抜き部が等間隔で形成された固定部と、物体側固定レンズ群と像側固定レンズ群の間で可動レンズ群を保持し、固定部の径方向内側に固定部に対して摺動可能に配置され、固定部と同じ中心軸を有する筒形状の可動部と、固定部に配置されたコイル、及び可動部に配置されて中心軸に交差する方向に磁気分極され、中心軸に対して略対称に配置され、固定部の各肉抜き部内に入るように可動部にそれぞれ配置された複数の磁石を有し、可動部を中心軸方向に沿って固定部に対して相対移動させることが可能なボイスコイルモータと、を備え、複数の磁石のうち、中心軸と直交する断面において周方向に隣り合う少なくとも２つの磁石を、互いに周方向の反対向きに寄せて配置する。
2016166857.tif 000002
【特許請求の範囲】
【請求項１】
少なくとも物体側固定レンズ群及び像側固定レンズ群のいずれか１つを保持する筒形状をなし、該筒形状の中心軸に対して対称な位置に複数の肉抜き部が等間隔で形成された固定部と、
前記物体側固定レンズ群と前記像側固定レンズ群の間で可動レンズ群を保持し、前記固定部の径方向内側に前記固定部に対して摺動可能に配置され、前記固定部と同じ中心軸を有する筒形状の可動部と、
前記固定部に配置されたコイル、及び前記中心軸と交差する方向に磁気分極され、前記中心軸に対して略対称であるとともに前記固定部の各肉抜き部内に入るように前記可動部にそれぞれ配置された複数の磁石を有し、前記可動部を前記中心軸方向に沿って前記固定部に対して相対移動させることが可能なボイスコイルモータと、
を備え、
前記複数の磁石のうち、前記中心軸と直交する断面において周方向に隣り合う少なくとも２つの磁石を、互いに周方向の反対向きに寄せて配置することを特徴とする光学ユニット。
【請求項２】
前記固定部は、比透磁率が１．０より大きい材料を用いて構成されることを特徴とする請求項１に記載の光学ユニット。
【請求項３】
前記コイルは、前記中心軸のまわりに巻かれていることを特徴とする請求項１又は２に記載の光学ユニット。
【請求項４】
前記磁石は、前記中心軸方向に沿って隣り合い、磁気分極方向が互いに逆である第１磁石及び第２磁石からなる組を複数有し、
複数の前記第１磁石は、同一の磁気分極方向を有し、
前記コイルは、複数の前記第１磁石に対向する第１コイルと、複数の前記第２磁石に対向し、前記第１コイルに接続される第２コイルと、を有し、
前記第１コイルと前記第２コイルは、電流の流れる方向が互いに逆であることを特徴とする請求項１〜３のいずれか一項に記載の光学ユニット。
【請求項５】
前記可動部の前記固定部に対する前記中心軸のまわりの回転を規制する回転規制部をさらに備えたことを特徴とする請求項１〜４のいずれか一項に記載の光学ユニット。
【請求項６】
前記回転規制部は、前記固定部の少なくとも一部の前記肉抜き部内に位置することを特徴とする請求項５に記載の光学ユニット。
【請求項７】
前記磁石は、前記中心軸方向に沿って隣り合い、磁気分極方向が互いに逆である第１磁石及び第２磁石からなる組を複数有し、
複数の前記第１磁石は、同一の磁気分極方向を有し、
前記コイルは、複数の前記第１磁石に対向する第１コイルと、複数の前記第２磁石に対向し、前記第１コイルに接続される第２コイルと、を有し、
前記第１コイルと前記第２コイルは、電流の流れる方向が互いに逆であり、
前記回転規制部は、前記中心軸方向に沿って隣り合う少なくとも一組の第１磁石と第２磁石の間に配置されていることを特徴とする請求項５又は６に記載の光学ユニット。
【請求項８】
前記回転規制部の前記中心軸と直交する平面における幅は、該平面における磁石の幅より大きいことを特徴とする請求項５〜７のいずれか一項に記載の光学ユニット。
【請求項９】
前記回転規制部は、少なくとも前記固定部と接触する部分がＲ形状をなすことを特徴とする請求項５〜８のいずれか一項に記載の光学ユニット。
【請求項１０】
前記磁石の数は偶数であることを特徴とする請求項１〜９のいずれか一項に記載の光学ユニット。
【請求項１１】
被検体の内部に挿入されて該被検体の内部を観察する内視鏡であって、
請求項１〜１０のいずれか一項に記載の光学ユニットと、
前記光学ユニットが集光した光を電気信号に変換する撮像素子と、
を備えることを特徴とする内視鏡。
【発明の詳細な説明】
【技術分野】
【０００１】
本発明は、ボイスコイルモータを用いて可動部を進退駆動する光学ユニット及び内視鏡に関する。
【背景技術】
【０００２】
従来、レンズが取り付けられた可動レンズ枠を有し、この可動レンズ枠を進退移動させることによって撮影倍率を変更するズーム機能を備えた内視鏡が開示されている（例えば、特許文献１を参照）。
【先行技術文献】
【特許文献】
【０００３】
【特許文献１】特開２０１０−２４３１９５号公報
【発明の概要】
【発明が解決しようとする課題】
【０００４】
上述した特許文献１に記載されたような従来の内視鏡では、一般に被検体への挿入部における先端部の細径化や、先端部における硬質長の短縮化が望まれている。このためには、従来の内視鏡において、可動レンズ枠を進退移動させるアクチュエータの小型化及び軽量化が必要である。【０００５】
本発明は、上記に鑑みてなされたものであって、可動レンズを進退移動させるアクチュエータの小型化及び軽量化を実現することができる光学ユニット及び内視鏡を提供することを目的とする。
【課題を解決するための手段】
【０００６】
上述した課題を解決し、目的を達成するために、本発明に係る光学ユニットは、少なくとも物体側固定レンズ群及び像側固定レンズ群のいずれか１つを保持する筒形状をなし、該筒形状の中心軸に対して対称な位置に複数の肉抜き部が等間隔で形成された固定部と、前記物体側固定レンズ群と前記像側固定レンズ群の間で可動レンズ群を保持し、前記固定部の径方向内側に前記固定部に対して摺動可能に配置され、前記固定部と同じ中心軸を有する筒形状の可動部と、前記固定部に配置されたコイル、及び前記中心軸と交差する方向に磁気分極され、前記中心軸に対して略対称であるとともに前記固定部の各肉抜き部内に入るように前記可動部にそれぞれ配置された複数の磁石を有し、前記可動部を前記中心軸方向に沿って前記固定部に対して相対移動させることが可能なボイスコイルモータと、を備え、前記複数の磁石のうち、前記中心軸と直交する断面において周方向に隣り合う少なくとも２つの磁石を、互いに周方向の反対向きに寄せて配置することを特徴とする。【０００７】
本発明に係る内視鏡は、被検体の内部に挿入されて該被検体の内部を観察する内視鏡であって、上記の光学ユニットと、前記光学ユニットが集光した光を電気信号に変換する撮像素子と、を備えることを特徴とする。
【発明の効果】
【０００８】
本発明によれば、可動レンズを進退移動させるアクチュエータの小型化及び軽量化を実現することができる。
【図面の簡単な説明】
【０００９】
【図１】図１は、本発明の実施の形態１に係る光学ユニットの構成を示す分解斜視図である。
【図２】図２は、本発明の実施の形態１に係る光学ユニットの要部の構成を示す断面図である。
【図３】図３は、図２のII−II線を通過する切断面で見たときの光学ユニットの断面図である。
【図４】図４は、図２のIII−III線を通過する切断面で見たときの光学ユニットの断面図である。
【図５】図５は、本発明の実施の形態１に係る光学ユニットの固定部本体の構成を示す斜視図である。
【図６Ａ】図６Ａは、本発明の実施の形態１に係る光学ユニットの前枠部の構成を示す斜視図である。
【図６Ｂ】図６Ｂは、本発明の実施の形態１に係る光学ユニットの前枠部を図６Ａと反対側から見たときの構成を示す斜視図である。
【図７Ａ】図７Ａは、本発明の実施の形態１に係る光学ユニットの後枠部の構成を示す斜視図である。
【図７Ｂ】図７Ｂは、本発明の実施の形態１に係る光学ユニットの後枠部を図７Ａと反対側から見たときの構成を示す斜視図である。
【図８】図８は、本発明の実施の形態１に係る光学ユニットの可動部の構成を示す斜視図である。
【図９】図９は、図３に示すIV−IV線を通過する切断面で見たときのボイスコイルモータのみの構成を示した図である。
【図１０】図１０は、図３と同じ断面でボイスコイルモータのみを示した図である。
【図１１】図１１は、本発明の実施の形態１の変形例１−１に係る光学ユニットの構成を示す断面図である。
【図１２】図１２は、本発明の実施の形態１の変形例１−２に係る光学ユニットの構成を示す断面図である。
【図１３】図１３は、本発明の実施の形態１の変形例１−３に係る光学ユニットの構成を示す断面図である。
【図１４】図１４は、本発明の実施の形態１の変形例１−４に係る光学ユニットの構成を示す断面図である。
【図１５】図１５は、本発明の実施の形態２に係る光学ユニットの要部の構成を示す断面図（その１）である。
【図１６】図１６は、本発明の実施の形態２に係る光学ユニットの要部の構成を示す断面図（その２）である。
【図１７】図１７は、図１５のV−V線を通過する切断面で見たときの光学ユニットの断面図である。
【図１８】図１８は、本発明の実施の形態２に係る光学ユニットの可動部の構成を示す斜視図である。
【図１９】図１９は、本発明の実施の形態２に係る光学ユニットの回転規制部の構成を示す斜視図である。
【図２０】図２０は、本発明の実施の形態３に係る光学ユニットの要部の構成を示す断面図である。
【図２１】図２１は、図２０のVIII−VIII線を通過する切断面で見たときの光学ユニットの断面図である。
【図２２】図２２は、本発明の実施の形態３に係る光学ユニットの固定部本体の構成を示す斜視図である。
【図２３】図２３は、本発明の実施の形態３に係る光学ユニットの可動部の構成を示す斜視図である。
【図２４】図２４は、図２１のX−X線を通過する切断面で見たときのボイスコイルモータのみの構成を示す断面図である。
【図２５】図２５は、図２１と同じ断面でボイスコイルモータのみを示した図である。
【図２６】図２６は、本発明の実施の形態４に係る光学ユニットの構成を示す断面図である。
【図２７】図２７は、本発明の実施の形態４の変形例４−１に係る光学ユニットの構成を示す断面図である。
【図２８】図２８は、本発明の実施の形態５に係る内視鏡を備えた内視鏡システムの構成を示す図である。
【発明を実施するための形態】
【００１０】
以下、本発明を実施するための形態（以下、「実施の形態」という）を説明する。
【００１１】
（実施の形態１）
図１は、本発明の実施の形態１に係る光学ユニットの構成を示す分解斜視図である。図２は、本実施の形態１に係る光学ユニットの要部の構成を示す断面図である。図３は、図２のII−II線を通過する切断面で見たときの光学ユニットの断面図である。図４は、図２のIII−III線を通過する切断面で見たときの光学ユニットの断面図である。なお、図２は、図３のI−I線を通過する切断面で見たときの光学ユニットの断面図でもある。
【００１２】
図１〜図４に示す光学ユニット１は、固定部２と、固定部２に対して移動可能な可動部３と、固定部２に対して可動部３を移動させる駆動力を発生するボイスコイルモータ１０と、を備える。
【００１３】
固定部２は、固定部本体２０と、可動部３が保持する可動レンズ群Ｇｖよりも物体側の物体側固定レンズ群Ｇｆを保持し固定部本体２０の物体側に取り付けられた前枠部４と、可動レンズ群Ｇｖよりも像側の像側固定レンズ群Ｇｂを保持し固定部本体２０の像側に取り付けられた後枠部５と、を有する。
【００１４】
図５は、固定部本体２０の構成を示す斜視図である。同図に示す固定部本体２０は、所定の軸Ｃを中心とした筒形状の部材からなる。固定部本体２０は、軸Ｃを中心軸とする筒部２１と、筒部２１に対して軸Ｃ方向の物体側に形成された物体側肉厚部２２と、筒部２１に対して物体側肉厚部２２と軸Ｃ方向の反対側に形成された像側肉厚部２３と、を有する。固定部本体２０は、軸Ｃに対して９０°の回転対称性を有する。以下、軸Ｃ方向に沿って物体側と反対側のことを像側という。
【００１５】
筒部２１には、肉抜き部２１ａが形成される。具体的には、筒部２１の長手方向の中心軸Ｃに対して周方向に沿って９０°毎に、筒部２１の径方向にそれぞれ貫通した４つの肉抜き部２１ａが形成される。肉抜き部２１ａを除いた筒部２１の径方向内側の面は筒状のシリンドリカル面であって、可動部３を案内支持する固定側摺動面２４となっている。固定側摺動面２４は、肉抜き部２１ａにより、周方向に分割された形状をなす。
【００１６】
物体側肉厚部２２は、筒部２１よりも径方向外側及び径方向内側に突出して形成される。像側肉厚部２３は、筒部２１よりも径方向外側に突出して形成される。像側肉厚部２３の径方向内側の固定側摺動面２４には、溝２３ｃが形成される。可動部３を組み付ける際、後述する磁石１２がこの溝２３ｃを通過する。したがって、固定部本体２０に対して可動部３を円滑に組み立てることが可能となる。なお、物体側肉厚部２２及び像側肉厚部２３を筒部２１と別体に形成し、組立時に筒部２１へ取り付ける構造としてもよい。
【００１７】
図６Ａ及び図６Ｂは、前枠部４の構成を示す斜視図であって、軸Ｃの異なる側からそれぞれ見たときの斜視図である。なお、前枠部４の中心軸を軸Ｃと称しているのは、組み付け時に固定部本体２０の中心軸と一致するためである。前枠部４は、外周部４１と内周部４２とを有する筒状の部材である。外周部４１は、第１外周部４１ａ、第２外周部４１ｂ、及び外周側凸部４１ｃを有する。内周部４２は、第１内周部４２ａ、第２内周部４２ｂ、及び内周側凸部４２ｃを有する。
【００１８】
外周部４１において、第１外周部４１ａは第２外周部４１ｂよりも大径である。第１外周部４１ａと第２外周部４１ｂの間には、径方向外側に突出した最も大径の外周側凸部４１ｃが設けられる。
【００１９】
内周部４２において、第１内周部４２ａは第２内周部４２ｂよりも大径である。第１内周部４２ａと第２内周部４２ｂの間には、径方向内側に突出した最も小径の内周側凸部４２ｃが位置する。
【００２０】
前枠部４は、物体側固定レンズ群Ｇｆを保持する。物体側固定レンズ群Ｇｆは、前第１レンズＬｆ１及び前第２レンズＬｆ２を有し、物体側からこの順に並んでいる。第１内周部４２ａが前第１レンズＬｆ１を保持し、第２内周部４２ｂが前第２レンズＬｆ２を保持する。前第１レンズＬｆ１の像側及び前第２レンズＬｆ２の物体側は、図３及び図４に示すように、内周側凸部４２ｃに当接しているのが好ましい。
【００２１】
前枠部４を固定部本体２０へ挿入する際には、第２外周部４１ｂを固定部本体２０の物体側肉厚部２２の内周面２２ａに接触させながら、固定部本体２０の物体側の端面２２ｂが第２外周部４１ｂと外周側凸部４１ｃとの段部４１ｄに接触するまで挿入する。
【００２２】
図７Ａ及び図７Ｂは、後枠部５の構成を示す斜視図であって、軸Ｃの異なる側からそれぞれ見たときの斜視図である。なお、後枠部５の中心軸を軸Ｃと称しているのは、前枠部４と同様、組み付け時に固定部本体２０の中心軸と一致するためである。後枠部５は、外周部５１と内周部５２とを有する筒状の部材である。外周部５１は、第１外周部５１ａ、第２外周部５１ｂ、及び第３外周部５１ｃを有する。内周部５２は、第１内周部５２ａ、第２内周部５２ｂ、及び内周側凸部５２ｃを有する。
【００２３】
外周部５１において、第１外周部５１ａは第２外周部５１ｂよりも小径であり、第２外周部５１ｂは第３外周部５１ｃよりも小径である。
【００２４】
内周部５２において、第１内周部５２ａは第２内周部５２ｂよりも小径である。第１内周部５２ａの物体側の端部には、径方向内側に突出した最も小径の内周側凸部５２ｃが設けられる。
【００２５】
後枠部５は、像側固定レンズ群Ｇｂを保持する。像側固定レンズ群Ｇｂは、後第１レンズＬｂ１及び後第２レンズＬｂ２を有する。第１内周部５２ａは、後第１レンズＬｂ１及び後第２レンズＬｂ２を物体側からこの順序で保持する。後第１レンズＬｂ１の物体側は、図３及び図４に示すように、内周側凸部５２ｃに当接しているのが好ましい。
【００２６】
後枠部５を固定部本体２０へ挿入する際には、第２外周部５１ｂを固定部本体２０の像側肉厚部２３の固定側摺動面２４に接触させながら、固定部本体２０の像側の端面２３ａが第２外周部５１ｂと第３外周部５１ｃとの段部５１ｄに接触するまで挿入する。
【００２７】
以上の構成を有する固定部２は、例えば非磁性体であるものの比透磁率が１．０より大きい材料を用いて構成される。このような材料として、例えばオーステナイト系ステンレス等を挙げることができる。
【００２８】
図８は、可動部３の構成を示す斜視図である。同図に示す可動部３は、外周部３１と内周部３２とを有する筒形状の部材からなる。以下、可動部３の中心軸も軸Ｃと称する。これは、組み付け時に可動部３の中心軸と固定部本体２０の中心軸が一致するためである。
【００２９】
外周部３１は、筒部３１ａと、筒部３１ａの軸Ｃ方向の両端部にそれぞれ形成され、筒部３１ａよりも外周の径が大きい２つの突縁部３１ｂとを有する。筒部３１ａと突縁部３１ｂは、一体の部材として構成してもよいし、別体の部材として構成してもよい。
【００３０】
突縁部３１ｂは、その外周面からなる可動側摺動面３１ｃと、突縁部３１ｂの径方向外側の一部に形成された平面部３１ｄとを有する。図８に示す場合、突縁部３１ｂは、可動側摺動面３１ｃと平面部３１ｄとを軸Ｃまわりの周方向に沿って交互に４つずつ等間隔で有している。平面部３１ｄは、軸Ｃ方向に沿って他端側に形成された４つの平面部３１ｄのいずれかと同一平面を通過する。換言すれば、外周部３１は、互いに異なる端部に形成されて同一平面を通過する２つの平面部３１ｄを４組有する。
【００３１】
４組の平面部３１ｄの間には、筒部３１ａより径方向内側に形成されて平面状の外周面を有する段差部３１ｅがそれぞれ設けられる。４組の平面部３１ｄの間に形成される段差部３１ｅの軸Ｃ方向の中央部には、筒部３１ａの表面を切り欠いて外周が平面状をなす切欠部３１ｆがそれぞれ設けられる。
【００３２】
内周部３２は、第１内周部３２ａ、第２内周部３２ｂ、第３内周部３２ｃ、及び内周側凸部３２ｄを有する。第２内周部３２ｂは、第１内周部３２ａ及び第３内周部３２ｃよりも小径である。第２内周部３２ｂと第３内周部３２ｃの間には、径方向内側に突出した最も小径の内周側凸部３２ｄが設けられる。
【００３３】
可動部３は、可動レンズ群Ｇｖを保持する。具体的には、可動部３の第２内周部３２ｂは、可動レンズ群Ｇｖが有する可動第１レンズＬｖ１を保持する。図３及び図４に示すように、可動第１レンズＬｖ１の像側は、内周側凸部３２ｄに当接しているのが好ましい。
【００３４】
可動部３は、可動側摺動面３１ｃが固定側摺動面２４と接触しながら固定部本体２０に挿入される。また、図３及び図４に示すように、第３内周部３２ｃの径方向内側が後枠部５の第１外周部５１ａと対向するように挿入される。これにより、像側固定レンズ群Ｇｂの少なくとも一部が可動部３の第３内周部３２ｃの径方向内側に存在することとなる。本実施の形態１において、可動部３が最も物体側に移動した場合には、物体側固定レンズ群Ｇｆの少なくとも一部が可動部３の第１内周部３２ａの径方向内側に存在する。
【００３５】
以上の構成を有する可動部３は、例えばステンレス、アルミニウム又は樹脂等の材料を用いて構成される。
【００３６】
光学ユニット１では、図４に示すように、軸Ｃに沿った方向において、可動部３の可動側摺動面３１ｃにおける最も物体側の位置から最も像側の位置までの距離Ｌ１が、前枠部４が保持する物体側固定レンズ群Ｇｆの射出面から後枠部５が保持する像側固定レンズ群Ｇｂの入射面までの距離Ｌ２よりも長い（Ｌ１＞Ｌ２）。なお、可動部３の可動側摺動面３１ｃの最も物体側の位置から最も像側の位置までの距離は、面取り部分を含まない。
【００３７】
次に、ボイスコイルモータ１０の構成を説明する。ボイスコイルモータ１０は、図３に示すように、固定部２の固定部本体２０に配置されたコイル１１と、コイル１１に対向するように可動部３に配置された磁石１２と、を有する。
【００３８】
コイル１１は、図３及び図４に示すように、固定部本体２０の筒部２１の外周に巻かれる第１コイル１１ａと、第１コイル１１ａの軸Ｃ方向に沿って並べて配置され、固定部本体２０の筒部２１の外周に巻かれる第２コイル１１ｂと、を有する。なお、コイル１１は、予め巻かれたものを後から配設してもよい。軸Ｃ方向に沿って隣り合う第１コイル１１ａと第２コイル１１ｂは、直列で接続されることが好ましいが、並列に接続されてもよい。
【００３９】
第１コイル１１ａ及び第２コイル１１ｂは、図３及び図４に示すように、それぞれ固定部本体２０の肉抜き部２１ａに対向する平面部１１ａｐ及び１１ｂｐをそれぞれ有する。また、第１コイル１１ａ及び第２コイル１１ｂは、筒部２１に対向する円筒部１１ａｔ及び１１ｂｔをそれぞれ有する。第１コイル１１ａは、軸Ｃと直交する断面において、４つの平面部１１ａｐと４つの円筒部１１ａｔとが交互に配置される。同様に、第２コイル１１ｂは、軸Ｃと直交する断面において、４つの平面部１１ｂｐと４つの円筒部１１ｂｔとが交互に配置される（図２を参照）。
【００４０】
磁石１２は、第１磁石１２ａ及び第２磁石１２ｂは、固定部２の各肉抜き部２１ａ内に入るように可動部３にそれぞれ配置される。磁石１２は、図１〜図４に示すように、第１コイル１１ａの平面部１１ａｐ及び第２コイル１１ｂの平面部１１ｂｐの内側に、平面部１１ａｐ及び１１ｂｐとそれぞれ対向するとともに、軸Ｃ方向に沿って並べて配置される第１磁石１２ａ及び第２磁石１２ｂを４つずつ有する。４つの第１磁石１２ａを軸Ｃと直交する断面で見たとき、周方向に隣り合う第１磁石１２ａ同士の間隔は等間隔ではなく、相対的に小さい組が２組存在する。具体的には、図２において軸Ｃの上下左右にそれぞれ位置する４つの第１磁石１２ａのうち、軸Ｃの上方に位置する第１磁石１２ａと右方に位置する第１磁石１２ａの周方向の間隔、及び図２において軸Ｃの左方に位置する第１磁石１２ａと下方に位置する第１磁石１２ａの周方向の間隔は、他の隣り合う第１磁石１２ａ同士の周方向の間隔よりも相対的に小さい。換言すれば、隣接する第１磁石１２ａ同士のうち、軸Ｃと直交する断面において、互いに周方向の反対向きに寄せて配置されているものが２組ある。なお、４つの第２磁石１２ｂの軸Ｃと直交する断面上における配置は、図２に示す第１磁石１２ａの配置と同様であるのが好ましい。
【００４１】
図９は、図３に示すIV-IV線を通過する切断面で見たときのボイスコイルモータのみの構成を示した図である。図９において、黒矢印Ｆは、各第１磁石１２ａが固定部２から受ける力（吸引力）を示している。この場合、４つの第１磁石１２ａが受ける吸引力を合成して得られる合力は、ほぼゼロとなる。同様のことが４つの第２磁石１２ｂに対してもいえる。したがって、本実施の形態１によれば、軸Ｃを中心とする回転モーメントがほぼゼロとなり、固定部２と可動部３との間の摩擦力を減少させることができる。その結果、可動部３を駆動させる際の駆動効率が向上するため、ボイスコイルモータ１０を小型化することができる。
【００４２】
図３及び図４に示すように、第１磁石１２ａと第２磁石１２ｂの軸Ｃ方向の幅の合計は、第１コイル１１ａと第２コイル１１ｂの軸Ｃ方向の幅の合計よりも短い。これにより、可動部３の移動範囲内で、第１磁石１２ａと第２磁石１２ｂを常に第１コイル１１ａと第２コイル１１ｂの軸Ｃ方向の幅内にそれぞれ存在させることができる。
【００４３】
図１０は、図３と同じ断面でボイスコイルモータのみを示した図である。図９及び図１０に示すように、軸Ｃ方向に沿って組をなす第１磁石１２ａと第２磁石１２ｂは離間して配置されている。第１磁石１２ａの組と第２磁石１２ｂの組は、それぞれ径方向に着磁され、磁極が互いに逆向きである。図９及び図１０に示す場合、第１磁石１２ａは、第１コイル１１ａ側をＮ極、その反対側をＳ極とし、第２磁石１２ｂは、第２コイル１１ｂ側をＳ極、その反対側をＮ極としている。この場合、第１磁石１２ａ及び第２磁石１２ｂの磁気分極方向は、図９及び図１０に示す白抜き矢印Ａのように、軸Ｃに対して直交する。なお、より一般に第１磁石１２ａ及び第２磁石１２ｂの磁気分極方向は、軸Ｃと交差する方向であればよい。
【００４４】
本実施の形態１において、コイル１１は、第１磁石１２ａの組と第２磁石１２ｂの組の間で巻回方向が反転することが好ましい。例えば、図９に示すように、第１コイル１１ａを矢印Ｂの方向に巻いた場合、第２コイル１１ｂは逆方向に巻けばよい。或いは、第１コイル１１ａと第２コイル１１ｂの巻回方向を同一とし、電流方向が逆になるように第１コイル１１ａと第２コイル１１ｂを接続してもよい。この場合、図９に示すように、第１コイル１１ａに矢印Ｂの向きの電流を流したとき、第２コイル１１ｂには矢印Ｂと逆方向に電流が流れるようになっていればよい。
【００４５】
以上の構成を有する光学ユニット１では、第１コイル１１ａの巻かれた固定部本体２０の径方向内側に、それぞれ第１コイル１１ａに対向して第１磁石１２ａを設置した可動部３が配置される。したがって、第１コイル１１ａの平面部１１ａｐは、それぞれ第１磁石１２ａの径方向の外側の面１２１ａに直交する方向の磁界の中に存在する。なお、第２磁石１２ｂも同様に構成される。したがって、駆動効率が向上し、可動部３を迅速に移動させることが可能となる。また、第１磁石１２ａの径方向の外側の面１２１ａ及び第２磁石１２ｂの径方向の外側の面１２１ｂを平面状とすることで、光学ユニット１の組み立てを容易に行うことが可能となる。
【００４６】
また、光学ユニット１のコイル１１に電流を流すと、磁石１２の磁界の影響によって、可動部３に軸Ｃ方向の力が発生し、固定部２に対して可動部３が軸Ｃ方向に移動する。例えば、第１コイル１１ａ及び第２コイル１１ｂにそれぞれ流す電流を制御することによって、可動部３を固定部２に対して移動させることができる。可動部３が固定部２に対して移動している状態でも、磁石１２の径方向の外側の面は、固定部本体２０の肉抜き部２１ａ内に配置される。
【００４７】
また、光学ユニット１において、可動部３の突縁部３１ｂの外周面は、図４に示すように、固定部本体２０の固定側摺動面２４に接触する可動側摺動面３１ｃを構成する。固定部本体２０の固定側摺動面２４と可動部３の可動側摺動面３１ｃを接触させることで、固定部本体２０に対して可動部３を常に接触した状態で移動させるとともに、固定部２に対する可動部３の傾斜を抑制することができ、可動部３を的確に移動させることが可能となる。
【００４８】
以上説明した本発明の実施の形態１によれば、固定部２に配置されたコイル１１、及び可動部３に配置されて軸Ｃと直交する方向に磁気分極された磁石１２を有し、可動部３を軸Ｃ方向に沿って固定部に対して相対移動させることが可能なボイスコイルモータ１０と、を備え、複数の磁石１２のうち、軸Ｃと直交する断面において周方向に隣り合う２組の磁石が、互いに周方向の反対向きに寄せて配置されるため、可動部３を駆動させる際の駆動効率が向上し、ボイスコイルモータ１０を小型化することができる。したがって、可動レンズを進退移動させるアクチュエータの小型化及び軽量化を実現することができる。
【００４９】
また、本実施の形態１によれば、比透磁率が１．０より大きい材料を用いて固定部２を構成することにより、磁石１２との間で吸引力を発生させ、軸Ｃと直交する平面において周方向に隣り合う２組の磁石を互いに周方向の反対向きに確実に寄せて配置することができる。
【００５０】
また、本実施の形態１によれば、可動部３の作動中も固定部本体２０の固定側摺動面２４と可動部３の可動側摺動面３１ｃが接触することで、固定部２に対する可動部３の傾斜を抑制することができ、可動部３を的確に移動させることが可能となる。
【００５１】
また、本実施の形態１によれば、固定部２を固定部本体２０、前枠部４及び後枠部５とを用いて構成することにより、部品点数及び組み立て工程を少なくするとともに設計の自由度を増加させることができ、低コスト化を実現することが可能となる。
【００５２】
また、本実施の形態１によれば、コイル１１は、軸Ｃを中心に巻かれているので、可動部３の摺動軸とボイスコイルモータ１０により発生される推進力の作用軸とを同一にすることができ、安定して駆動することが可能となる。
【００５３】
また、本実施の形態１によれば、固定部２の固定側摺動面２４は、周方向に分割して形成されるので、簡単な構造で光学ユニット１を小型化することが可能となる。
【００５４】
また、本実施の形態１によれば、磁石１２は、軸Ｃ方向に沿って隣り合い、磁気分極方向が互いに反対方向である第１磁石１２ａ及び第２磁石１２ｂからなる組を複数有し、複数の第１磁石１２ａは、同一の磁気分極方向を有し、コイル１１は、複数の第１磁石１２ａに対向する第１コイル１１ａと、複数の第２磁石１２ｂに対向し、第１コイル１１ａに接続される第２コイル１１ｂと、を有し、第１コイル１１ａと第２コイル１１ｂは、電流の流れる方向が逆であるため、駆動力を増加させることが可能となる。
【００５５】
なお、本実施の形態１において、周方向に隣り合う少なくとも２つの段差部３１ｅ同士を互いに周方向の反対向きに寄せて形成することにより、図２に示すのと同様の磁石１２の配置を実現することも可能である。
【００５６】
（変形例１−１）
図１１は、実施の形態１の変形例１−１に係る光学ユニットの構成を示す断面図である。同図に示す光学ユニット１Ａは、固定部２と、可動部３と、ボイスコイルモータ１０Ａと、を備える。ボイスコイルモータ１０Ａは、ボイスコイルモータ１０と可動部３における磁石１２の配置が異なる。本変形例１−１において、実施の形態１と同様の構成を有する部位については、実施の形態１と同じ符号を用いて説明する。この点は、後述する変形例１−２〜１−４も同様である。
【００５７】
磁石１２は、図１１に示すように、第１コイル１１ａの平面部１１ａｐ及び第２コイル１１ｂの平面部１１ｂｐの内側に、平面部１１ａｐ及び１１ｂｐとそれぞれ対向するとともに、軸Ｃ方向に沿って並べて配置される第１磁石１２ａ及び第２磁石１２ｂを４つずつ有する。本変形例１−１では、図１１において軸Ｃの下方および左方にそれぞれ配置された第１磁石１２ａが、段差部３１ｅの周方向に沿って片側に寄せられることなく均等に配置されている点が実施の形態１と異なる。この場合、第１磁石１２ａが固定部２から受ける吸引力Ｆの合力Ｆ1の向きは、可動部３の径方向である。
【００５８】
なお、第２磁石１２ｂの軸Ｃと直交する断面における配置も、上述した第１磁石１２ａの配置と同様である。このため、第２磁石１２ｂが固定部２から受ける吸引力の合力の向きは、上述した合力Ｆ1の向きと同じである。
【００５９】
以上の構成を有する変形例１−１によれば、実施の形態１と同様の効果に加えて、固定部２と可動部３との摺動によるガタを一方向（吸引力の合力の方向）へ寄せて可動部３の軸Ｃと直交する軸のまわりのチルト及び軸Ｃと平行な方向へのシフトを抑制することができる。
【００６０】
（変形例１−２）
図１２は、実施の形態１の変形例１−２に係る光学ユニットの構成を示す断面図である。同図に示す光学ユニット１Ｂは、固定部２と、可動部３と、ボイスコイルモータ１０Ｂと、を備える。ボイスコイルモータ１０Ｂは、ボイスコイルモータ１０と可動部３における磁石１２の配置が異なる。
【００６１】
磁石１２は、図１２に示すように、第１コイル１１ａの平面部１１ａｐ及び第２コイル１１ｂの平面部１１ｂｐの内側に、平面部１１ａｐ及び１１ｂｐとそれぞれ対向するとともに、軸Ｃ方向に沿って並べて配置される第１磁石１２ａ及び第２磁石１２ｂを４つずつ有する。本変形例１−２では、４つの第１磁石１２ａを軸Ｃと直交する断面で見たとき、軸Ｃの下方および左方にそれぞれ配置された第１磁石１２ａは、周方向に沿って互いに離れる方向に寄せて配置されている点が実施の形態１と異なる。この場合、第１磁石１２ａが固定部２から受ける吸引力Ｆの合力Ｆ2の向きは、可動部３の径方向である。
【００６２】
なお、第２磁石１２ｂの軸Ｃと直交する断面における配置も、上述した第１磁石１２ａの配置と同様である。このため、第２磁石１２ｂが固定部２から受ける吸引力の合力の向きは、上述した合力Ｆ2の向きと同じである。
【００６３】
以上の構成を有する変形例１−２によれば、実施の形態１と同様の効果に加えて、固定部２と可動部３との摺動によるガタを一方向（吸引力の合力の方向）へ寄せて可動部３の軸Ｃと直交する軸のまわりのチルト及び軸Ｃと平行な方向へのシフトを抑制することができる。
【００６４】
（変形例１−３）
図１３は、実施の形態１の変形例１−３に係る光学ユニットの構成を示す断面図である。同図に示す光学ユニット１Ｃは、固定部２と、可動部３と、ボイスコイルモータ１０Ｃと、を備える。ボイスコイルモータ１０Ｃは、ボイスコイルモータ１０と可動部３における磁石１２の配置が異なる。
【００６５】
磁石１２は、図１３に示すように、第１コイル１１ａの平面部１１ａｐ及び第２コイル１１ｂの平面部１１ｂｐの内側に、平面部１１ａｐ及び１１ｂｐとそれぞれ対向するとともに、軸Ｃ方向に沿って並べて配置される第１磁石１２ａ及び第２磁石１２ｂを４つずつ有する。本変形例１−３では、図１３において軸Ｃの左方及び下方に位置する第１磁石１２ａの配置方法が実施の形態１と異なる。具体的には、４つの第１磁石１２ａを軸Ｃと直交する断面で見たとき、軸Ｃの左方に配置された第１磁石１２ａは、可動部３の周方向に沿って軸Ｃの上方に配置された第１磁石１２ａと同じ方向へ寄せて配置されている。また、図１３において軸Ｃの下方に配置された第１磁石１２ａは、段差部３１ｅの周方向に沿って片側に寄せられることなく均等に配置されている。この場合、第１磁石１２ａが固定部２から受ける吸引力Ｆの合力Ｆ3の向きは、可動部３の径方向である。
【００６６】
なお、第２磁石１２ｂの軸Ｃと直交する断面における配置も、上述した第１磁石１２ａの配置と同様である。このため、第２磁石１２ｂが固定部２から受ける吸引力の合力の向きは、上述した合力Ｆ3の向きと同じである。
【００６７】
以上の構成を有する本変形例１−３によれば、実施の形態１と同様の効果に加えて、固定部２と可動部３との摺動によるガタを一方向（吸引力の合力の方向）へ寄せて可動部３の軸Ｃと直交する軸のまわりのチルト及び軸Ｃと平行な方向へのシフトを抑制することができる。
【００６８】
本変形例１−３では、周方向回りのモーメントが生じるものの、一部のモーメントが反対向きで相殺される分があるため、軸Ｃのまわりの可動部３の回転を抑制することができる。
【００６９】
（変形例１−４）
図１４は、実施の形態１の変形例１−４に係る光学ユニットの構成を示す断面図である。同図に示す光学ユニット１Ｄは、固定部２と、可動部３と、ボイスコイルモータ１０Ｄと、を備える。ボイスコイルモータ１０Ｄは、ボイスコイルモータ１０と可動部３における磁石１２の配置が異なる。
【００７０】
磁石１２は、図１４に示すように、第１コイル１１ａの平面部１１ａｐ及び第２コイル１１ｂの平面部１１ｂｐの内側に、平面部１１ａｐ及び１１ｂｐとそれぞれ対向するとともに、軸Ｃ方向に沿って並べて配置される第１磁石１２ａ及び第２磁石１２ｂを４つずつ有する。本変形例１−４では、４つの第１磁石１２ａを軸Ｃと直交する断面で見たとき、軸Ｃの左方に配置された第１磁石１２ａが、可動部３の周方向に沿って軸Ｃの上方に配置された第１磁石１２ａと同じ方向に寄せて配置されている点が実施の形態１と異なる。この場合、第１磁石１２ａが固定部２から受ける吸引力Ｆの合力Ｆ4の向きは、可動部３の径方向である。
【００７１】
なお、第２磁石１２ｂの軸Ｃと直交する断面における配置も、上述した第１磁石１２ａの配置と同様である。このため、第２磁石１２ｂが固定部２から受ける吸引力の合力の向きは、上述した合力Ｆ4の向きと同じである。
【００７２】
以上の構成を有する変形例１−４によれば、実施の形態１と同様の効果に加えて、固定部２と可動部３との摺動によるガタを一方向（吸引力の合力の方向）へ寄せて可動部３の軸Ｃと直交する軸のまわりのチルト及び軸Ｃと平行な方向へのシフトを抑制することができる。
【００７３】
本変形例１−４では、周方向回りのモーメントが生じるものの、一部のモーメントが反対向きで相殺される分があるため、軸Ｃのまわりの可動部３の回転を抑制することができる。
【００７４】
（実施の形態２）
図１５および図１６は、本発明の実施の形態２に係る光学ユニットの要部の構成を示す断面図である。図１７は、図１５のV−V線を通過する切断面で見たときの光学ユニットの断面図である。なお、図１５は、図１７のVI-VI線を通過する切断面で見たときの断面図でもある。また、図１６は、図１７のVII-VII線を通過する切断面で見たときの断面図でもある。図１５〜図１７に示す光学ユニット１Ｅは、固定部２と、可動部３Ｅと、ボイスコイルモータ１０と、可動部３Ｅに装着される回転規制部６と、を備える。本実施の形態２において、実施の形態１と同様の構成を有する部位については、実施の形態１と同じ符号を用いて説明する。
【００７５】
図１８は、可動部３Ｅの構成を示す斜視図である。可動部３Ｅは、図１８に示すように、外周部３１Ｅと内周部３２Ｅとを有する筒形状の部材からなる。
【００７６】
外周部３１Ｅは、筒部３１ａと、突縁部３１ｂとを有する。突縁部３１ｂは、可動側摺動面３１ｃと、平面部３１ｄとを有する。
【００７７】
図１８に示す場合、突縁部３１ｂは、可動側摺動面３１ｃと平面部３１ｄとを軸Ｃまわりの周方向に沿って交互に４つずつ等間隔で有している。平面部３１ｄは、軸Ｃ方向に沿って他端側に形成された４つの平面部３１ｄのいずれかと同一平面を通過する。換言すれば、外周部３１Ｅは、互いに異なる端部に形成されて同一平面を通過する２つの平面部３１ｄを４組有する。４組の平面部３１ｄの間には、段差部３１ｅがそれぞれ設けられる。４組の平面部３１ｄのうち３組の平面部３１ｄの間に設けられる段差部３１ｅの軸Ｃ方向の中央部には、筒部３１ａの表面を切り欠いて外周が平面状をなす切欠部３１ｆが設けられる。
【００７８】
４組の平面部３１ｄのうち残る１組の平面部３１ｄの間に形成される段差部３１ｅの軸Ｃ方向の中央部には、筒部３１ａの表面を切り欠いて外周が平面状をなす部分に対して径方向に貫通する孔部３１ｇを形成し、回転規制部６を保持する保持部３１ｈが設けられている。なお、孔部３１ｇは、外周部３１Ｅの径方向の内周側に底部を有する形状をなしていてもよい。
【００７９】
可動部３Ｅの内周部３２Ｅは、第１内周部３２ａ、第２内周部３２ｂ、第３内周部３２ｅ、及び内周側凸部３２ｄを有する。第３内周部３２ｅには、孔部３１ｇの開口が形成されている。
【００８０】
図１９は、回転規制部６の構成を示す斜視図である。回転規制部６は、可動部３Ｅの孔部３１ｇに挿通可能な径を有する円筒状の挿通部６１と、挿通部６１の高さ方向の一端に設けられ、孔部３１ｇに挿通部６１を挿通した状態で保持部３１ｈの外周側表面に載置されて保持部３１ｈから径方向外周へ向けて突起する頭部６２とを有する。頭部６２の側面のうち固定部２と接触する部分は湾曲したＲ形状をなす一方、第１磁石１２ａ及び第２磁石１２ｂとそれぞれ対向する側面は平面状をなす。回転規制部６は、保持部３１ｈに保持された状態で接着等により可動部３Ｅに固着される。なお、可動部３Ｅに固着された状態において軸Ｃと平行な回転規制部の表面形状を円形状としてもよいし、矩形状としてもよい。
【００８１】
図１６に示すように、回転規制部６の頭部６２の軸Ｃと直交する平面における周方向の幅は、同じ平面における磁石１２（図１６では第２磁石１２ｂを記載）の周方向の幅よりも大きい。
【００８２】
以上説明した本発明の実施の形態２によれば、上述した実施の形態１と同様の効果を得ることができる。
【００８３】
また、本実施の形態２によれば、可動部３Ｅと回転規制部６とを別体にすることにより、可動部３Ｅ及び回転規制部６の加工が一段と容易になる。
【００８４】
なお、本実施の形態２では回転規制部６を可動部３Ｅと別体としたが、可動部と回転規制部を一体で形成してもよい。
【００８５】
また、回転規制部６を複数設けてもよい。なお、小型化及び軽量化の実現に加えて、部品に対する要求精度を必要以上に高くせずに製造コストを抑制して経済的な光学ユニットを提供するには、回転規制部６の数をなるべく少なくした方がより好ましい。
【００８６】
（実施の形態３）
図２０は、本発明の実施の形態３に係る光学ユニットの要部の構成を示す断面図である。図２１は、図２０のVIII−VIII線を通過する切断面で見たときの光学ユニットの断面図である。なお、図２０は、図２１のIX−IX線を通過する切断面で見たときの光学ユニットの断面図でもある。
【００８７】
図２０及び図２１に示す光学ユニット１Ｆは、固定部２Ｆと、可動部３Ｆと、ボイスコイルモータ１０Ｆと、を備える。ボイスコイルモータ１０Ｆは、ボイスコイルモータ１０と少なくとも磁石１２の個数が異なる。本実施の形態３において、実施の形態１と同様の構成を有する部位については、実施の形態１と同じ符号を用いて説明する。
【００８８】
図２２は、固定部２Ｆが有する固定部本体２０Ｆの構成を示す斜視図である。同図に示す固定部本体２０Ｆは、所定の軸Ｃを中心とした筒形状の部材からなる。固定部本体２０Ｆは、軸Ｃを中心軸とする筒部２５と、筒部２５に対して軸Ｃ方向の物体側に形成された物体側肉厚部２６と、筒部２５に対して軸Ｃ方向の像側に形成された像側肉厚部２７と、を有する。
【００８９】
筒部２５には、２つの第１肉抜き部２５ａが形成される。具体的には、軸Ｃに対して１８０°回転対称な位置に２つの第１肉抜き部２５ａが形成される。第１肉抜き部２５ａを除いた筒部２５の径方向内側の面は筒状のシリンドリカル面であって、可動部３Ｆを案内支持する固定側摺動面２８となっている。固定側摺動面２８は、第１肉抜き部２５ａにより、周方向に分割された形状をなす。
【００９０】
物体側肉厚部２６は、筒部２５よりも径方向外側及び径方向内側に突出して形成される。像側肉厚部２７は、筒部２５よりも径方向外側に突出して形成される。像側肉厚部２７の径方向内側の固定側摺動面２８には、可動部３Ｆを組み付ける際に磁石１２が通過する溝２７ｃが形成される。したがって、固定部本体２０Ｆに対して可動部３Ｆを円滑に組み立てることが可能となる。なお、物体側肉厚部２６及び像側肉厚部２７を筒部２５と別体に形成し、組立時に筒部２５へ取り付ける構造としてもよい。
【００９１】
図２３は、可動部３Ｆの構成を示す斜視図である。同図に示す可動部３Ｆは、外周部３３と内周部３４とを有する筒形状の部材からなる。
【００９２】
外周部３３は、筒部３３ａと、筒部３３ａの軸Ｃ方向の両端部にそれぞれ形成され、筒部３３ａよりも外周の径が大きい２つの突縁部３３ｂとを有する。筒部３３ａと突縁部３３ｂは、一体の部材として構成してもよいし、別体の部材として構成してもよい。
【００９３】
突縁部３３ｂは、その外周面からなる可動側摺動面３３ｃと、突縁部３３ｂの径方向外側の一部に形成された平面部３３ｄとを有する。図２３に示す場合、突縁部３３ｂは、可動側摺動面３３ｃと平面部３３ｄとを軸Ｃまわりの周方向に沿って交互に２つずつ有している。平面部３３ｄは、軸Ｃ方向に沿って他端側に形成された２つの平面部３３ｄのいずれかと同一平面を通過する。換言すれば、外周部３３は、互いに異なる端部に形成されて同一平面を通過する２つの平面部３３ｄを２組有する。
【００９４】
２組の平面部３３ｄの間には、筒部３３ａより径方向内側に形成されて平面状の外周面を有する段差部３３ｅがそれぞれ設けられる。段差部３３ｅの軸Ｃ方向の中央部には、筒部３３ａの表面を切り欠いて外周が平面状をなす切欠部３３ｆが設けられる。
【００９５】
内周部３４は、第１内周部３４ａ、第２内周部３４ｂ、第３内周部３４ｃ、及び内周側凸部３４ｄを有する。第２内周部３４ｂは第１内周部３４ａ及び第３内周部３４ｃよりも小径である。第２内周部３４ｂと第３内周部３４ｃの間には、径方向内側に突出した最も小径の内周側凸部３４ｄが設けられる。第２内周部３４ｂは、可動レンズ群Ｇｖが有する可動第１レンズＬｖ１を保持する。図２１に示すように、可動第１レンズＬｖ１の像側は、内周側凸部３４ｄに当接しているのが好ましい。
【００９６】
可動部３Ｆは、可動側摺動面３３ｃが固定側摺動面２８と接触しながら固定部本体２０Ｆに挿入される。また、図２１に示すように、可動部３Ｆの第３内周部３４ｃの径方向内側に後枠部５の第１外周部５１ａが対向するように挿入される。これにより、像側固定レンズ群Ｇｂの少なくとも一部が可動部３Ｆの第３内周部３４ｃの径方向内側に位置する。可動部３Ｆが最も物体側に移動した場合、物体側固定レンズ群Ｇｆの少なくとも一部は、可動部３Ｆの第１内周部３４ａの径方向内側に位置する。
【００９７】
ボイスコイルモータ１０Ｆは、第１磁石１２ａ及び第２磁石１２ｂを軸Ｃに沿ってこの順序で並べた組を２組有する。図２０に示す平面、すなわち軸Ｃと直交する平面で見たとき、同種の磁石（図２０では第１磁石１２ａ）が周方向に沿って１８０°ごとに２か所設けられている。
【００９８】
図２４は、図２１に示すX-X線を通過する切断面で見たときのボイスコイルモータのみの構成を示す断面図である。図２４において、黒矢印Ｆは、各第１磁石１２ａが固定部２Ｆから受ける吸引力を示している。この場合、２つの第１磁石１２ａが受ける吸引力の合力はほぼゼロとなる。同様のことが２つの第２磁石１２ｂに対してもいえる。
【００９９】
したがって、本実施の形態３によれば、軸Ｃを中心とする回転モーメントがほぼゼロとなり、固定部２Ｆと可動部３Ｆとの間の摩擦力を減少させることができる。その結果、可動部３Ｆを駆動させる際の駆動効率が向上し、ボイスコイルモータ１０Ｆを小型化することができる。
【０１００】
また、本実施の形態３によれば、２つの磁石１２を軸Ｃと直交する断面において固定部２Ｆに対して周方向に沿って近づく方向へ寄せて配置し、磁石１２が固定部２Ｆから受ける吸引力の合力Ｆ5の向きを可動部３Ｆの径方向としているため、固定部２Ｆと可動部３Ｆとの摺動によるガタを一方向へ寄せて可動部３Ｆの軸Ｃと直交する軸のまわりのチルト及び軸Ｃと平行な方向へのシフトを抑制することができる。
【０１０１】
図２５は、図２１と同じ断面でボイスコイルモータのみを示した図である。図２４及び図２５に示すように、軸Ｃ方向に沿って組をなす第１磁石１２ａと第２磁石１２ｂは離間して配置されている。第１磁石１２ａの組と第２磁石１２ｂの組は、それぞれ径方向に着磁され、磁極が互いに逆向きである。図２４及び図２５に示す場合、第１磁石１２ａは、第１コイル１１ａ側をＮ極、その反対側をＳ極とし、第２磁石１２ｂは、第２コイル１１ｂ側をＳ極、その反対側をＮ極としている。この場合、第１磁石１２ａ及び第２磁石１２ｂの磁気分極方向は、図２４及び図２５に示す白抜き矢印Ａのように、軸Ｃに対して直交する。なお、本実施の形態３においても、より一般に第１磁石１２ａ及び第２磁石１２ｂの磁気分極方向は、軸Ｃと交差する方向であればよい。
【０１０２】
以上説明した本発明の実施の形態３によれば、上述した実施の形態１と同様の効果を得ることができる。
【０１０３】
また、本実施の形態３によれば、可動部３Ｆに配置した２つの磁石１２を軸Ｃと直交する断面において固定部２Ｆに対して周方向に沿って近づく方向へ寄せて配置し、磁石１２が固定部２Ｆから受ける吸引力の合力の向きを可動部３Ｆの径方向としているため、固定部２Ｆと可動部３Ｆとの摺動によるガタを一方向に寄せて可動部３Ｆの軸Ｃと直交する軸のまわりのチルト及び軸Ｃと平行な方向へのシフトを抑制することができる。
【０１０４】
また、本実施の形態３によれば、磁石１２の数を少なくしているため、一段と小型化及び軽量化を図ることが可能となる。
【０１０５】
（実施の形態４）
図２６は、本発明の実施の形態４に係る光学ユニットの構成を示す断面図である。同図に示す光学ユニット１Ｇは、固定部２Ｇと、可動部３Ｇと、ボイスコイルモータ１０Ｇと、を備える。ボイスコイルモータ１０Ｇは、ボイスコイルモータ１０と少なくとも磁石１２の個数が異なる。本実施の形態４において、実施の形態１と同様の構成を有する部位については、実施の形態１と同じ符号を用いて説明する。
【０１０６】
磁石１２は、第１コイル１１ａの平面部１１ａｐ及び第２コイル１１ｂの平面部１１ｂｐの内側に、平面部１１ａｐ及び１１ｂｐとそれぞれ対向するとともに、軸Ｃ方向に沿って並べて配置される第１磁石１２ａ及び第２磁石１２ｂを３つずつ有する。
【０１０７】
固定部２Ｇの固定部本体２０Ｇが有する筒部２９には、３つの肉抜き部２９ａが形成されている。具体的には、筒部２９の長手方向（図２６の紙面と直交する方向）の中心軸である軸Ｃに対して１２０°毎に、筒部２９の径方向にそれぞれ貫通した３つの肉抜き部２９ａが形成される。
【０１０８】
磁石１２が配置される可動部３Ｇは円筒状をなしており、図８に示す可動部３とは、筒部２９に形成される段差部及び切欠部の数が異なる。すなわち、可動部３Ｇには、３つの段差部３５ｅ及び切欠部（図示せず）が形成されている。可動部３Ｇは、中心軸である軸Ｃと直交する断面において１２０°の回転対称性を有する。このため、光学ユニット１Ｇを組み立てる際、３つの磁石１２は、固定部本体２０Ｇに形成された３つの肉抜き部２９ａにそれぞれ挿入される。
【０１０９】
３つの第１磁石１２ａを軸Ｃと直交する断面で見たとき、軸Ｃのまわりの周方向に隣接する第１磁石１２ａ同士の間隔は等間隔ではなく、相対的に小さい組が１組存在する。具体的には、図２６において軸Ｃの上方に位置する第１磁石１２ａと右下方に位置する第１磁石１２ａの周方向の間隔が最も小さい。また、図２６において軸Ｃの左下方に位置する第１磁石１２ａは、段差部３５ｅの周方向に沿って片側に寄せられることなく均等に配置されている。
【０１１０】
このような構成を有する本実施の形態４では、図２６における周方向の間隔が最も小さい２つの第１磁石１２ａが可動部３Ｇから受ける吸引力Ｆの合力Ｆ6の向きは、可動部３Ｇの径方向となる。なお、図２６では、第１磁石１２ａの配置を示したが、第２磁石１２ｂの配置も同様である。このため、第２磁石１２ｂが可動部３Ｇから受ける合力Ｆ6の向きも可動部３Ｇの径方向となる。したがって、固定部２Ｇと可動部３Ｇとの摺動によるガタを一方向へ寄せて可動部３Ｇの軸Ｃと直交する軸のまわりのチルト及び軸Ｃと平行な方向へのシフトを抑制することができる。
【０１１１】
以上説明した本発明の実施の形態４によれば、上述した実施の形態１と同様の効果を得ることができる。
【０１１２】
また、本実施の形態４によれば、可動部３Ｇに配置した磁石１２のうちの隣接する２つの磁石１２を固定部２Ｇに対して周方向に沿って近づく方向へ寄せて配置し、磁石１２が固定部２Ｇから受ける吸引力の合力の向きを可動部３Ｇの径方向としているため、固定部２Ｇと可動部３Ｇとの摺動によるガタを一方向に寄せて可動部３Ｇの軸Ｃと直交する軸のまわりのチルト及び軸Ｃと平行な方向へのシフトを抑制することができる。
【０１１３】
（変形例４−１）
図２７は、実施の形態４の変形例４−１に係る光学ユニットの構成を示す断面図である。同図に示す光学ユニット１Ｈは、固定部２Ｇと、可動部３Ｇと、ボイスコイルモータ１０Ｈと、を備える。ボイスコイルモータ１０Ｈは、ボイスコイルモータ１０Ｇと磁石１２の個数及び可動部３Ｇにおける配置が異なる。本変形例４−１において、実施の形態４と同様の構成を有する部位については、実施の形態４と同じ符号を用いて説明する。
【０１１４】
磁石１２は、第１コイル１１ａの平面部１１ａｐ及び第２コイル１１ｂの平面部１１ｂｐの内側に、平面部１１ａｐ及び１１ｂｐとそれぞれ対向するとともに、軸Ｃ方向に沿って並べて配置される第１磁石１２ａ及び第２磁石１２ｂを３つずつ有する。本変形例４−１では、図２７において軸Ｃの上方、右下方及び左下方にそれぞれ位置する３つの第１磁石１２ａのうち、上方に位置する第１磁石１２ａと右下方に位置する第１磁石１２ａの周方向の間隔が最も小さい。また、図２７において軸Ｃの左下方に位置する第１磁石１２ａは、可動部３Ｇの周方向に沿って軸Ｃの上方に位置する第１磁石１２ａへ近づく方向に寄せて配置されている。このため、図２７において軸Ｃの左下方に位置する第１磁石１２ａは、可動部３Ｇの周方向に沿って軸Ｃの上方に位置する第１磁石１２ａと同じ向きの吸引力を受ける。
【０１１５】
このように配置することで、３つの第１磁石１２ａが可動部３Ｇから受ける吸引力Ｆの合力Ｆ7の向きは、可動部３Ｇの径方向となる。なお、図２７では、第１磁石１２ａの配置を示したが、第２磁石１２ｂの配置も同様であるため、第２磁石１２ｂが可動部３Ｇから受ける合力Ｆ7の向きも可動部３Ｇの径方向となる。したがって、固定部２Ｇと可動部３Ｇとの摺動によるガタを一方向へ寄せて可動部３Ｇの軸Ｃと直交する軸のまわりのチルト及び軸Ｃと平行な方向へのシフトを抑制することができる。
【０１１６】
本変形例４−１では、周方向回りのモーメントが生じるものの、一部のモーメントが反対向きであるため、軸Ｃのまわりの可動部３Ｇの回転を抑制することができる。
【０１１７】
（実施の形態５）
図２８は、本発明の実施の形態５に係る内視鏡を備えた内視鏡システムの構成を示す図である。同図に示す内視鏡システム１００は、内視鏡９０と、制御装置９４と、表示装置９６とを備える。
【０１１８】
内視鏡９０は、人体等の被検体内に導入可能であって、被検体内の所定の観察部位を光学的に撮像する。なお、内視鏡９０が導入される被検体は、人体に限らず、他の生体でもよく、機械、建造物等の人工物でもよい。換言すれば、内視鏡９０は、医療用内視鏡でもよいし、工業用内視鏡でもよい。
【０１１９】
内視鏡９０は、被検体の内部に導入される挿入部９１と、挿入部９１の基端に位置する操作部９２と、操作部９２から延出される複合ケーブルとしてのユニバーサルコード９３と、を備える。
【０１２０】
挿入部９１は、先端に配設される先端部９１ａ、先端部９１ａの基端側に配設される湾曲自在な湾曲部９１ｂ、及び湾曲部９１ｂの基端側に配設されて操作部９２の先端側に接続され可撓性を有する可撓管部９１ｃを有する。先端部９１ａには、被写体からの光を集光して該被写体を撮像する撮像部８０が設けられている。撮像部８０は、被写体からの光を集光する光学ユニットと、光学ユニットが集光した光を光電変換して出力する撮像素子とを有する。光学ユニットは、上述した実施の形態１〜４のいずれかに記載した光学ユニットを適用することができる。撮像素子は、ＣＣＤ（Charge  Coupled  Device）又はＣＭＯＳ（Complementary  Metal  Oxide  Semiconductor）を用いて構成される。なお、内視鏡９０は、挿入部９１に可撓管部９１ｃを有しない硬性内視鏡でもよい。
【０１２１】
操作部９２は、湾曲部９１ｂの湾曲状態を操作するアングル操作部９２ａと、上述したボイスコイルモータ１０の作動を指示し、光学ユニット１、１Ａ又は１Ｂにおけるズーム作動を行うズーム操作部９２ｂと、を有する。アングル操作部９２ａはノブ形状で形成され、ズーム操作部９２ｂはレバー形状で形成されているが、それぞれボリュームスイッチ、プッシュスイッチ等の他の形式であってもよい。
【０１２２】
ユニバーサルコード９３は、操作部９２と制御装置９４とを接続する部材である。内視鏡９０は、ユニバーサルコード９３の基端部に設けられるコネクタ９３ａを介して制御装置９４に接続される。
【０１２３】
挿入部９１、操作部９２及びユニバーサルコード９３には、ワイヤ、電気線及び光ファイバ等のケーブル９５が挿通される。
【０１２４】
制御装置９４は、湾曲部９１ｂの湾曲状態を制御する駆動制御部９４ａと、撮像部８０を制御する画像制御部９４ｂと、図示しない光源装置を制御する光源制御部９４ｃと、を有する。制御装置９４は、ＣＰＵ（Central  Processing  Unit）等のプロセッサを有し、内視鏡システム１００の全体を統括して制御する。
【０１２５】
駆動制御部９４ａは、アクチュエータを有し、ワイヤを介して操作部９２及び湾曲部９１ｂと機械的に接続される。駆動制御部９４ａは、ワイヤを進退させることで湾曲部９１ｂの湾曲状態を制御する。
【０１２６】
画像制御部９４ｂは、電気線を介して撮像部８０及び操作部９２と電気的に接続される。画像制御部９４ｂは、撮像部８０が有するボイスコイルモータ１０又は１０Ｂの駆動制御及び撮像部８０が撮像した画像の処理を行う。画像制御部９４ｂが処理した画像は、表示装置９６で表示される。
【０１２７】
光源制御部９４ｃは、光ファイバを介して光源及び操作部９２と光学的に接続される。光源制御部９４ｃは、先端部９１ａから照射される光源の明るさ等を制御する。
【０１２８】
なお、操作部９２を挿入部９１と別体で形成し、遠隔操作によって挿入部９１の操作を行う構成としてもよい。
【０１２９】
以上の構成を有する内視鏡システム１００は、実施の形態１〜４のいずれかに係る光学ユニットを有する撮像部８０を備えるため、小型で迅速にズーム変更することができ、動画撮像に好適である。
【０１３０】
また、内視鏡システム１００によれば、可動部に磁石１２を設ける一方、固定部にコイル１１を設けているため、コイル１１に接続されるケーブルを動かす必要がない。このため、内視鏡９０の先端部の限られたスペースにおいてケーブルが動いて断線を生じてしまうおそれがなく、耐久性にも優れている。
【０１３１】
（その他の実施の形態）
ここまで、本発明を実施するための形態を説明してきたが、本発明は上述した実施の形態によってのみ限定されるべきものではない。例えば、上述した光学ユニットに対し、磁気を検出する少なくとも１つの磁気検出器と、磁気検出器の検出結果に基づいてコイル１１に流れる電流を制御する電流制御部をさらに具備させてもよい。磁気検出器は、例えばホール素子や磁気抵抗効果素子（ＭＲ素子）を用いて実現される。磁気検出器は、コイル１１の径方向外周側に設けられる支持部材に固設される。磁気検出器が検出した磁気に基づいてコイル１１に流れる電流を制御することにより、可動部の駆動速度及び停止位置を一段と的確に制御することが可能となる。
【０１３２】
また、可動部に配設する磁石の数は、実施の形態１〜４に記載したものに限定されるわけではないが、偶数であればより好ましい。
【０１３３】
また、固定部に設けられる肉抜き部は、磁石や回転規制部を組み付けることができればよく、径方向外周側まで貫通していなくてもよい。
【０１３４】
このように、本発明は、ここでは記載していない様々な実施の形態等を含み得るものであり、請求の範囲に記載した技術的思想を逸脱しない範囲内において適宜設計変更等を行うことが可能である。
【符号の説明】
【０１３５】
１、１Ａ、１Ｂ、１Ｃ、１Ｄ、１Ｅ、１Ｆ、１Ｇ、１Ｈ  光学ユニット
２、２Ｇ  固定部
３、３Ｅ、３Ｆ、３Ｇ  可動部
４  前枠部
５  後枠部
６  回転規制部
１０、１０Ａ、１０Ｂ、１０Ｃ、１０Ｄ、１０Ｆ、１０Ｇ、１０Ｈ  ボイスコイルモータ
１１  コイル
１１ａ  第１コイル
１１ｂ  第２コイル
１２  磁石
１２ａ  第１磁石
１２ｂ  第２磁石
２０、２０Ｆ、２０Ｇ  固定部本体
８０  撮像部
９０  内視鏡
９１  挿入部
１００  内視鏡システム
Ｃ  軸
Ｇｂ  像側固定レンズ群
Ｇｆ  物体側固定レンズ群
Ｇｖ  可動レンズ群
【図１】
2016166857.tif 000003
【図２】
2016166857.tif 000004
【図３】
2016166857.tif 000005
【図４】
2016166857.tif 000006
【図５】
2016166857.tif 000007
【図６Ａ】
2016166857.tif 000008
【図６Ｂ】
2016166857.tif 000009
【図７Ａ】
2016166857.tif 000010
【図７Ｂ】
2016166857.tif 000011
【図８】
2016166857.tif 000012
【図９】
2016166857.tif 000013
【図１０】
2016166857.tif 000014
【図１１】
2016166857.tif 000015
【図１２】
2016166857.tif 000016
【図１３】
2016166857.tif 000017
【図１４】
2016166857.tif 000018
【図１５】
2016166857.tif 000019
【図１６】
2016166857.tif 000020
【図１７】
2016166857.tif 000021
【図１８】
2016166857.tif 000022
【図１９】
2016166857.tif 000023
【図２０】
2016166857.tif 000024
【図２１】
2016166857.tif 000025
【図２２】
2016166857.tif 000026
【図２３】
2016166857.tif 000027
【図２４】
2016166857.tif 000028
【図２５】
2016166857.tif 000029
【図２６】
2016166857.tif 000030
【図２７】
2016166857.tif 000031
【図２８】
2016166857.tif 000032
【国際調査報告】
2016166857.tif 000033
2016166857.tif 000034
2016166857.tif 000035
2016166857.tif 000036